(57)【要約】  【解決手段】  ワイヤーボンディング装置が提供される。前記ワイヤーボンディング装置は、（ａ）ワイヤーボンディングツールと、（ｂ）前記ワイヤーボンディングツールのボンディング面の下の位置にワイヤーを案内するワイヤーガイドであって、このワイヤーガイドは（ｉ）前記ワイヤーボンディングツールに対する係合位置と（ｉｉ）前記ワイヤーボンディングツールに対する非係合位置との間を移動するように構成されている、前記ワイヤーガイドと、前記ワイヤーガイドが前記非係合位置にあるときに前記ワイヤーボンディングツールの先端部の少なくとも一部をクリーニングするクリーニングステーションとを含む。  【選択図】      図１
2021511664.tif 000002
【特許請求の範囲】
【請求項１】
ワイヤーボンディング装置であって、
ワイヤーボンディングツールと、
前記ワイヤーボンディングツールのボンディング面の下の位置にワイヤーを案内するワイヤーガイドであって、このワイヤーガイドは（ｉ）前記ワイヤーボンディングツールに対する係合位置と（ｉｉ）前記ワイヤーボンディングツールに対する非係合位置との間を移動するように構成されている、前記ワイヤーガイドと、
前記ワイヤーガイドが前記非係合位置にあるときに前記ワイヤーボンディングツールの先端部の少なくとも一部をクリーニングするクリーニングステーションと
を有するワイヤーボンディング装置。
【請求項２】
請求項１に記載のワイヤーボンディング装置において、前記クリーニングステーションは少なくとも１つのブラシを含むものである、ワイヤーボンディング装置。
【請求項３】
請求項１に記載のワイヤーボンディング装置において、さらに、前記ワイヤーボンディングツールを搭載したボンドヘッドアセンブリを有し、このボンドヘッドアセンブリは、前記ワイヤーボンディングツールを複数の軸に沿って移動させるように構成されている、ワイヤーボンディング装置。
【請求項４】
請求項３に記載のワイヤーボンディング装置において、前記クリーニングステーションは少なくとも１つのブラシを含み、前記ボンドヘッドアセンブリはクリーニングのために前記ワイヤーボンディングツールの前記先端部が前記少なくとも１つのブラシと接触する位置に前記ワイヤーボンディングツールを移動させるものである、ワイヤーボンディング装置。
【請求項５】
請求項４に記載のワイヤーボンディング装置において、前記ワイヤーボンディングツールの前記先端が前記少なくとも１つのブラシと接触している間、前記ボンドヘッドアセンブリは所定の運動プロファイルに従って前記少なくとも１つのブラシに対して前記ワイヤーボンディングツールの前記先端部を移動させるものである、ワイヤーボンディング装置。
【請求項６】
請求項５に記載のワイヤーボンディング装置において、前記所定の運動プロファイルはジグザグ運動経路を含むものである、ワイヤーボンディング装置。
【請求項７】
請求項１に記載のワイヤーボンディング装置において、前記クリーニングステーションは、前記ワイヤーボンディングツールのクリーニング操作に関連して作動されるように構成されたモーター駆動ブラシを含むものである、ワイヤーボンディング装置。
【請求項８】
請求項１に記載のワイヤーボンディング装置において、さらに、前記ワイヤーボンディングツールを前記クリーニングステーションでクリーニングした後に、前記ワイヤーボンディングツールの一部を検査する検査システムを有する、ワイヤーボンディング装置。
【請求項９】
請求項１に記載のワイヤーボンディング装置において、さらに、前記クリーニングステーションによる前記ワイヤーボンディングツールのクリーニングから生じる破片を収集する破片収集システムを有する、ワイヤーボンディング装置。
【請求項１０】
請求項１に記載のワイヤーボンディング装置において、前記クリーニングステーションは前記ワイヤーボンディングツールをクリーニングするためのエネルギー源を含むものである、ワイヤーボンディング装置。
【請求項１１】
請求項１０に記載のワイヤーボンディング装置において、前記エネルギー源はレーザー光源を含むものである、ワイヤーボンディング装置。
【請求項１２】
請求項１１に記載のワイヤーボンディング装置において、前記レーザー光源はクリーニング操作に関連する所定の運動プロファイルに従って前記ワイヤーボンディングツールの前記先端部に対して移動するように構成されている、ワイヤーボンディング装置。
【請求項１３】
請求項１１に記載のワイヤーボンディング装置において、前記ワイヤーボンディングツールの前記先端部はクリーニング操作に関連する所定の運動プロファイルに従って前記レーザー光源に対して移動するように構成されている、ワイヤーボンディング装置。
【請求項１４】
請求項１に記載のワイヤーボンディング装置において、前記クリーニングステーションは、前記ワイヤーボンディングツールの前記先端部の少なくとも一部に対応する形状を有するプリフォーム構造を含むものであり、このプリフォーム構造は前記ワイヤーボンディングツールから破片を除去するように構成されている、ワイヤーボンディング装置。
【請求項１５】
請求項１４に記載のワイヤーボンディング装置において、前記プリフォーム構造の形状は前記ワイヤーボンディングツールの前記先端部の溝に対応するものである、ワイヤーボンディング装置。
【請求項１６】
請求項１に記載のワイヤーボンディング装置において、前記クリーニングステーションは前記ワイヤーボンディングツールをクリーニングするための噴射式クリーニング源を含むものである、ワイヤーボンディング装置。
【請求項１７】
請求項１６に記載のワイヤーボンディング装置において、前記噴射式クリーニング源は、（ｉ）前記ワイヤーボンディングツールをクリーニングするためのガス圧式クリーニング機構、（ｉｉ）前記ワイヤーボンディングツールをクリーニングするためのＣＯ２ベースのクリーニング機構、（ｉｉｉ）前記ワイヤーボンディングツールをクリーニングするためのサンドブラストベースのクリーニング機構、および（ｉｖ）前記ワイヤーボンディングツールをクリーニングするためのビードブラストベースのクリーニング機構のうちの少なくとも１つを含むものである、ワイヤーボンディング装置。
【請求項１８】
請求項１に記載のワイヤーボンディング装置において、さらに、前記ワイヤーボンディングツールを搭載した超音波発生器を有し、前記超音波発生器は前記クリーニングステーションでのクリーニング操作の少なくとも一部の間に前記ワイヤーボンディングツールの前記先端部に超音波運動を提供するものである、ワイヤーボンディング装置。
【請求項１９】
請求項１に記載のワイヤーボンディング装置において、（ｉ）前記ワイヤーボンディングツールに対する前記係合位置と（ｉｉ）前記ワイヤーボンディングツールに対する前記非係合位置との間の移動は自動化されているものである、ワイヤーボンディング装置。
【請求項２０】
ワイヤーボンディング装置であって、
ワイヤーボンディングツールと、
前記ワイヤーボンディングツールをクリーニングするクリーニングステーションであって、少なくとも１つのブラシを含むものであり、前記少なくとも１つのブラシは前記ワイヤーボンディング装置上に固定ブラシを含み、前記ワイヤーボンディングツールは、クリーニング操作中、前記ワイヤーボンディングツールの先端部が前記固定ブラシと接触するように動かされるように構成されているものである、前記クリーニングステーションと
を有するワイヤーボンディング装置
【請求項２１】
請求項２０に記載のワイヤーボンディング装置において、前記ワイヤーボンディングツールは前記クリーニング操作に関連する所定の運動プロファイルに従って動くように構成されている、ワイヤーボンディング装置。
【請求項２２】
請求項２０に記載のワイヤーボンディング装置において、さらに、前記ワイヤーボンディングツールを搭載した超音波発生器を有し、前記超音波発生器は、前記クリーニング操作の少なくとも一部の間、前記ワイヤーボンディングツールの前記先端部に超音波運動を提供するものである、ワイヤーボンディング装置。
【請求項２３】
請求項２０に記載のワイヤーボンディング装置において、さらに、前記ワイヤーボンディングツールのボンディング面の下の位置にワイヤーを案内するワイヤーガイドを有し、前記ワイヤーガイドは、（ｉ）前記ワイヤーボンディングツールに対する係合位置と（ｉｉ）前記ワイヤーボンディングツールに対する非係合位置との間を自動移動するように構成されている、ワイヤーボンディング装置。
【請求項２４】
ワイヤーボンディング装置のワイヤーボンディングツールの先端部をクリーニングする方法であって、
（ａ）前記ワイヤーボンディングツールの前記先端部が前記ワイヤーボンディング装置のクリーニングステーションに接近できるように、前記ワイヤーボンディングツールからワイヤーを離す工程と、
（ｂ）工程（ａ）の後に、前記クリーニングステーションで前記ワイヤーボンディングツールの前記先端部の少なくとも一部をクリーニングする工程と
を有する方法。
【請求項２５】
請求項２４に記載の方法において、前記ワイヤーボンディング装置は、前記ワイヤーボンディングツールのボンディング面の下の位置にワイヤーをガイドするワイヤーガイドを備えているものであり、工程（ａ）は前記ワイヤーガイドを（ｉ）前記ワイヤーボンディングツールに対する係合位置から（ｉｉ）前記ワイヤーボンディングツールに対する非係合位置に移動させる工程を含むものであり、工程（ｂ）は、前記ワイヤーガイドが前記非係合位置にあるときに前記ワイヤーボンディングツールの前記先端部の少なくとも一部のクリーニングをする工程を含むものである、方法。
【請求項２６】
請求項２４に記載の方法において、前記クリーニングステーションは少なくとも１つのブラシを含むものである、方法。
【請求項２７】
請求項２４に記載の方法において、さらに、前記ワイヤーボンディングツールを搭載したボンドヘッドアセンブリを有し、前記ボンドヘッドアセンブリは前記ワイヤーボンディングツールを複数の軸に沿って移動させるように構成されている、方法。
【請求項２８】
請求項２７に記載の方法において、前記クリーニングステーションは少なくとも１つのブラシを含むものであり、前記ボンドヘッドアセンブリは前記先端部の少なくとも一部をクリーニングするために前記ワイヤーボンディングツールを当該ワイヤーボンディングツールの前記先端部が前記少なくとも１つのブラシと接触する位置に動かすものである、方法。
【請求項２９】
請求項２４に記載の方法において、前記クリーニングステーションは前記ワイヤーボンディングツールのクリーニング操作に関連して作動されるように構成されたモーター駆動ブラシを含むものである、方法。
【請求項３０】
請求項２４に記載の方法において、さらに、工程（ｂ）の後に、前記ワイヤーボンディングツールの前記先端部を検査する工程を有する、方法。
【請求項３１】
請求項２４に記載の方法において、さらに、前記クリーニングステーションによる前記ワイヤーボンディングツールの前記先端部の少なくとも一部をクリーニングすることから生じる破片を破片収集システムを用いて収集する工程を有する、方法。
【請求項３２】
請求項２４に記載の方法において、前記クリーニングステーションは、前記ワイヤーボンディングツールの前記先端部の少なくとも一部をクリーニングするためのエネルギー源を含むものである、方法。
【請求項３３】
請求項２４に記載の方法において、前記クリーニングステーションは前記ワイヤーボンディングツールの前記先端部の少なくとも一部に対応する形状を有するプリフォーム構造を含むものであり、前記プリフォーム構造は前記ワイヤーボンディングツールから破片を除去するように構成されている、方法。
【請求項３４】
請求項２４に記載の方法において、前記クリーニングステーションは前記ワイヤーボンディングツールの前記先端部の少なくとも一部をクリーニングするための噴射式クリーニング源を含むものである、方法。
【請求項３５】
請求項２４に記載の方法において、前記ワイヤーボンディング装置は前記ワイヤーボンディングツールを搭載した超音波発生器を含むものであり、前記超音波発生器は前記クリーニングステーションのクリーニング操作の少なくとも一部の間に前記ワイヤーボンディングツールの前記先端部に超音波運動を提供するものである、方法。
【請求項３６】
請求項２４に記載の方法において、前記ワイヤーボンディング装置は前記ワイヤーボンディングツールのボンディング面の下の位置にワイヤーをガイドするワイヤーガイドを含むものであり、前記ワイヤーガイドは（ｉ）前記ワイヤーボンディングツールに対する係合位置と（ｉｉ）前記ワイヤーボンディングツールに対する非係合位置との間を自動移動するように構成されている、方法。
【発明の詳細な説明】
【技術分野】
【０００１】
本出願は２０１８年１月３０日に出願された米国仮特許出願第６２／６２４，０３７号の利益を主張するものであり、その内容はこの参照により本明細書に組み込まれる。
【０００２】
本発明は、ワイヤーボンディングツールのクリーニングに関し、より具体的には、ワイヤーボンディング装置のワイヤーボンディングツールをクリーニングする改善されたシステムおよび方法に関する。
【背景技術】
【０００３】
半導体パッケージング産業および電気的相互接続を必要とするその他の産業において、ワイヤーおよびリボンボンディングはワイヤーボンディング装置の使用に際し広く採用されている技術である。ワイヤーボンディング操作およびリボンボンディング操作では、様々な種類のエネルギー（例えば、超音波エネルギー、熱音波エネルギー、熱圧縮エネルギー等）を用いてワイヤー／リボンの端部が第１の接合位置に接合される。前記第１の接合位置で第１の接合が形成された後、ある長さのワイヤー／リボンが第２の接合位置まで延長され、次いで第２の接合位置で第２の接合が形成される。
【０００４】
従来のワイヤーボンディング（例えば、ボールボンディング、ウェッジボンディング、リボンボンディング等）において、ワイヤー／リボンに使用される例示的な導電性材料としては、とりわけ、アルミニウム、銅、金が挙げられる。
【０００５】
ワイヤーボンディングの課題は、ワイヤーボンディング操作（ｗｉｒｅ  ｂｏｎｄｉｎｇ  ｏｐｅｒａｔｉｏｎ）で使用されるワイヤーボンディングツールの汚染である。例えば、ウェッジボンディング操作およびリボンボンディング操作では、ツールがワイヤー（例えば、アルミニウムワイヤー）の小片で汚染されることがある。この汚染はワイヤーボンディング操作の有効性に影響を及ぼす。ツールの交換および／またはツールのクリーニングは操作の遅延や過分な費用をもたらす可能性がある。
【０００６】
したがって、ワイヤーボンディング装置のワイヤーボンディングツールのための改善されたクリーニングシステム、そのようなクリーニングシステムとリボンボンディングツールとを含む改善されたワイヤーボンディング装置、およびワイヤーボンディング装置のワイヤーボンディングツールをクリーニングする改善された方法を提供することが望ましい。
【発明の概要】
【課題を解決するための手段】
【０００７】
本発明の例示的な実施形態によれば、ワイヤーボンディング装置が提供される。このワイヤーボンディング装置は、（ａ）ワイヤーボンディングツールと、（ｂ）前記ワイヤーボンディングツールのボンディング面の下の位置にワイヤーを案内するワイヤーガイドであって、このワイヤーガイドは（ｉ）前記ワイヤーボンディングツールに対する係合位置（例えば、図３Ｂ参照）と（ｉｉ）前記ワイヤーボンディングツールに対する非係合位置（図３Ｄ参照）との間を移動するように構成されている、前記ワイヤーガイドと、（ｃ）前記ワイヤーガイドが前記非係合位置にあるときに前記ワイヤーボンディングツールの先端部の少なくとも一部をクリーニングするクリーニングステーションとを含む。前記係合位置は、前記ワイヤーガイドが前記ワイヤーボンディングツールの前記ボンディング（作業）面の下の位置にワイヤーの端部を案内する位置である。前記非係合位置は前記ワイヤーガイドが前記係合位置から離れた（例えば、離れるように旋回された）位置である。
【０００８】
本発明の他の例示的な実施形態によれば、ワイヤーボンディング装置が提供される。ワイヤーボンディング装置は、（ａ）ワイヤーボンディングツールと、（ｂ）前記ワイヤーボンディングツールをクリーニングするクリーニングステーションであって、少なくとも１つのブラシを含むものであり、前記少なくとも１つのブラシは前記ワイヤーボンディング装置上に固定ブラシを含み、前記ワイヤーボンディングツールは、クリーニング操作中、当該ワイヤーボンディングツールの先端部が前記固定ブラシと接触するように動かされるように構成されているものである、前記クリーニングステーションとを含む。
【０００９】
本発明の更なる他の例示的な実施形態によれば、ワイヤーボンディング装置のワイヤーボンディングツールの先端部をクリーニングする方法が提供される。この方法は、（ａ）前記ワイヤーボンディングツールの前記先端部が前記ワイヤーボンディング装置のクリーニングステーションに接近できるように、前記ワイヤーボンディングツールからワイヤーを離す工程と、（ｂ）工程（ａ）の後に、前記ワイヤーボンディングツールの前記先端部の少なくとも一部を前記クリーニングステーションでクリーニングする工程とを含む。
【図面の簡単な説明】
【００１０】
本発明は添付の図面と併せて以下の詳細な説明を読むことで最もよく理解される。一般的な慣行に従い、図面の種々の特徴は縮尺どおりではないことに留意されたい。むしろ、種々の特徴の寸法は明瞭性のため適宜拡大または縮小されている。図面に含まれる図は以下のとおりである。
【図１】図１は、本発明の例示的な実施形態に係るワイヤーボンディング装置の諸要素のブロック図である。
【図２Ａ】図２Ａ〜図２Ｃは、本発明の例示的な実施形態に係るワイヤーボンディング装置のボンドオフステーションを示すブロック図である。
【図２Ｂ】図２Ａ〜図２Ｃは、本発明の例示的な実施形態に係るワイヤーボンディング装置のボンドオフステーションを示すブロック図である。
【図２Ｃ】図２Ａ〜図２Ｃは、本発明の例示的な実施形態に係るワイヤーボンディング装置のボンドオフステーションを示すブロック図である。
【図３Ａ】図３Ａ〜図３Ｄは、本発明の例示的な実施形態に係るワイヤーボンディング装置の分離ステーションを示すブロック図である。
【図３Ｂ】図３Ａ〜図３Ｄは、本発明の例示的な実施形態に係るワイヤーボンディング装置の分離ステーションを示すブロック図である。
【図３Ｃ】図３Ａ〜図３Ｄは、本発明の例示的な実施形態に係るワイヤーボンディング装置の分離ステーションを示すブロック図である。
【図３Ｄ】図３Ａ〜図３Ｄは、本発明の例示的な実施形態に係るワイヤーボンディング装置の分離ステーションを示すブロック図である。
【図４Ａ】図４Ａ〜図４Ｂは、本発明の例示的な実施形態に係るワイヤーボンディング装置のクリーニングステーションを示すブロック図である。
【図４Ｂ】図４Ａ〜図４Ｂは、本発明の例示的な実施形態に係るワイヤーボンディング装置のクリーニングステーションを示すブロック図である。
【図５Ａ】図５Ａ〜図５Ｃは、本発明の他の例示的な実施形態に係るワイヤーボンディング装置の他のクリーニングステーションを示すブロック図である。
【図５Ｂ】図５Ａ〜図５Ｃは、本発明の他の例示的な実施形態に係るワイヤーボンディング装置の他のクリーニングステーションを示すブロック図である。
【図５Ｃ】図５Ａ〜図５Ｃは、本発明の他の例示的な実施形態に係るワイヤーボンディング装置の他のクリーニングステーションを示すブロック図である。
【図６】図６は、本発明の他の例示的な実施形態に係るワイヤーボンディング装置の更なる他のクリーニングステーションを示すブロック図である。
【図７】図７は、本発明の他の例示的な実施形態に係るワイヤーボンディング装置の更なる他のクリーニングステーションを示すブロック図である。
【図８Ａ】図８Ａ〜図８Ｄは、本発明の他の例示的な実施形態に係るワイヤーボンディング装置の更なる他のクリーニングステーションを示すブロック図である。
【図８Ｂ】図８Ａ〜図８Ｄは、本発明の他の例示的な実施形態に係るワイヤーボンディング装置の更なる他のクリーニングステーションを示すブロック図である。
【図８Ｃ】図８Ａ〜図８Ｄは、本発明の他の例示的な実施形態に係るワイヤーボンディング装置の更なる他のクリーニングステーションを示すブロック図である。
【図８Ｄ】図８Ａ〜図８Ｄは、本発明の他の例示的な実施形態に係るワイヤーボンディング装置の更なる他のクリーニングステーションを示すブロック図である。
【図９Ａ】図９Ａ〜図９Ｅは、本発明の例示的な実施形態に係るワイヤーボンディング装置の廃棄ステーションを示すブロック図である。
【図９Ｂ】図９Ａ〜図９Ｅは、本発明の例示的な実施形態に係るワイヤーボンディング装置の廃棄ステーションを示すブロック図である。
【図９Ｃ】図９Ａ〜図９Ｅは、本発明の例示的な実施形態に係るワイヤーボンディング装置の廃棄ステーションを示すブロック図である。
【図９Ｄ】図９Ａ〜図９Ｅは、本発明の例示的な実施形態に係るワイヤーボンディング装置の廃棄ステーションを示すブロック図である。
【図９Ｅ】図９Ａ〜図９Ｅは、本発明の例示的な実施形態に係るワイヤーボンディング装置の廃棄ステーションを示すブロック図である。
【図１０Ａ】図１０Ａ〜図１０Ｅは、本発明の例示的な実施形態に係るワイヤーボンディング装置の再位置調整ステーションを示すブロック図である。
【図１０Ｂ】図１０Ａ〜図１０Ｅは、本発明の例示的な実施形態に係るワイヤーボンディング装置の再位置調整ステーションを示すブロック図である。
【図１０Ｃ】図１０Ａ〜図１０Ｅは、本発明の例示的な実施形態に係るワイヤーボンディング装置の再位置調整ステーションを示すブロック図である。
【図１０Ｄ】図１０Ａ〜図１０Ｅは、本発明の例示的な実施形態に係るワイヤーボンディング装置の再位置調整ステーションを示すブロック図である。
【発明を実施するための形態】
【００１１】
本明細書において、「ワイヤーボンディングツール」という用語は、ワークピース（被加工物）にワイヤーの一部を接合するのに用いる任意の種類のツールをいう。例示的なワイヤーボンディングツールには、ウェッジボンディングツール（ウェッジツールまたはウェッジともいう）、ボールボンディングツール（キャピラリーツールまたはキャピラリーともいう）、およびリボンボンディングツールが含まれる。したがって、本明細書に記載の「ワイヤーボンディング装置」という用語は、ウェッジボンディング装置、ボールボンディング装置、リボンボンディング装置、スタッドバンピング機等を指し得る。
【００１２】
本発明の例示的な態様によれば、ツールの堆積物（例えば、破片、汚染物質等）は、複数の例示的な本発明のクリーニングシーケンスの１つによってワイヤーボンディングツールのツール先端部から除去することができる。そのようなクリーニングシーケンスは自動とすることができる（例えば、所定の時間間隔若しくは所定回数の操作の完了、またはプロセス信号のトリガー等、所定のイベントの発生をトリガーとする）。あるいは、クリーニングシーケンスは使用者により始動されてもよい。
【００１３】
特定の例示的シーケンスは以下のとおりである：ボンディングツールを（例えば、ボンド・ヘッド・アセンブリを用いて）ワイヤー取扱い位置に移動させる；ワイヤーを（手動で又は自動的に）ワイヤーボンディングツールから離す；そして、ワイヤーボンディングツールをワイヤーボンディング装置のクリーニングステーションに移動させる（例えば、この場合、クリーニングステーションは、１若しくはそれ以上のブラシ、レーザー、プリフォーム、その他の機構を含み得る）。クリーニングステーションでは、ワイヤーボンディングツールの一部（例えば、ワイヤーボンディングツールの作業面を含む先端部分）が当該クリーニングステーションを用いてクリーニングされる。
【００１４】
ブラシの場合、ワイヤーボンディングツールはブラシ頂部上の位置に移動され得る。ワイヤーボンディング装置は「第１の接触」位置を決定することができる。「第１の接触」位置の決定後、ワイヤーボンディングツールはＺ方向に特定の距離または特定の力が測定されるまで下降される。ワイヤーボンディング装置は、例えば、特定時間または特定回数ブラシ移動が完遂されるまで、ブラシに対するツールのブラッシング運動（例えば、ジグザグ運動またはその他の所定の運動プロファイル）を実行する。前記動作は、ワイヤーボンディングツール、ブラシ、またはその両方によって完遂できることに留意されたい。
【００１５】
クリーニング後（且つ使用されるクリーニングステーションの種類に関係なく）、ワイヤーボンディングツールはワイヤーボンディング装置の検査位置に移動され、そこで（例えば、操作者により手動で、視覚システムおよびコンピュータ等を用いて自動的に）ワイヤーボンディングツール先端部の清浄度レベルが評価され得る。
【００１６】
クリーニングおよび任意選択的な検査の後、次いで、ワイヤーボンディングツールはワイヤー取扱い位置に移動されてもよく、ワイヤーがワイヤーボンディングツールに関連する位置（例えば、ワイヤーボンディングツールの先端部下または作業面下に）に戻される。手動または自動のボンドオフ（例えば、引張り試験を含む単一接合）がワイヤーボンディング装置のボンドオフ位置で実行されてもよい。ワイヤーボンディングツールが適切にクリーニングされたと判定された場合（または確認検査なく完了した場合）、次いで、ワイヤーボンディング装置は生産に戻されてよい。
【００１７】
様々な図面を通じて、本明細書で説明される場合を除き、同様の参照番号は同様の要素を指す。
【００１８】
具体的に図１を参照すると、ワイヤーボンディング装置１００のブロック図が示されている。ワイヤーボンディング装置１００は本来例示的なものであり、本発明は図１に示す詳細に限定されない。例えば、図１は、特定の種類のワイヤーボンディングツール（超音波ウェッジボンディング用のウェッジボンディングツール）およびボンドヘッド要素を示している。しかしながら、本発明はこの特定の種類のワイヤーボンディングツールまたはボンドヘッド要素に限定されない。さらに、図１はワイヤーボンディング装置１００の複数の「ステーション」を示す。本発明はこれらのステーションのそれぞれを必須としないことが理解される。むしろ、これらのステーション（または本発明の範囲内の他のステーションまたは機構）の選択されたものは、所与の用途のために選択されていてよい。さらに、ステーションは、図示の順序での使用に限定されない。むしろ、ステーション（例えば、検査ステーション）は必要に応じてプロセス中いつでも使用することができる。
【００１９】
ワイヤーボンディング装置１００は、ボンドヘッドアセンブリ１０２を含む。ボンドヘッドアセンブリ１０２は、ワイヤーボンディングツール１０４と、（ワイヤーを切断するための）カッター１０６と、（例えば、図２Ａに示すワイヤーガイド１０８ａを含む）ワイヤーガイドアセンブリ１０８を運搬する。ワイヤー１０３（例えば、図２Ａを参照）は、ワイヤーガイドアセンブリ１０８によって、ワイヤーボンディングツール１０４のボンディング面の下の位置に案内される。また、ボンドヘッドアセンブリ１０２は（以下でより詳細に説明する）ロック機構１１０も運搬する。ボンドヘッドアセンブリ１０２は、ワイヤーボンディング装置１００のｘ軸に沿って、ワイヤーボンディング装置１００のｙ軸に沿って、ワイヤーボンディング装置１００のｚ軸に沿って、およびワイヤーボンディング装置１００のシータ軸周りを動くように構成されている。したがって、本明細書で説明するクリーニング操作（および関連操作）に関連してワイヤーボンディングツール１０４はこれらの軸に沿って（および周りを）所望のように動かされ得る。
【００２０】
ワイヤーボンディング装置１００はボンディング領域１１２を含む。ボンディング領域１１２において、ワイヤーボンディングツール１０４はワイヤー１０３（例えば、図２Ａを参照）を接合して、所与の用途のための電気的相互接続を提供する。図１に示す例では、ボンディングワイヤー１０３は第１のワークピース１１２ａ（例えば、半導体ダイ等の半導体要素）と第２のワークピース１１２ｂ（例えば、リードフレーム、その他の半導体要素等の基板等）との間に接合されることとなる。
【００２１】
図１に示されるように、ワイヤーボンディング装置１００は、ボンドオフステーション１１４と、分離ステーション１１６と、クリーニングステーション１１８と、廃棄ステーション１２０と、再位置調整ステーション１２２と、検査ステーション１２４とを含む。これら「ステーション」の様々な例は後続の図面にわたり提供されている。「ステーション」という用語は、特定の機能／操作に適合したワイヤーボンディング装置の領域として広く定義されるものと理解されたい。
【００２２】
ここで、図２Ａ〜図２Ｃを参照すると、「ボンドオフプロセス」が示されている。ワイヤーボンディングツールのクリーニングに関連して、ワイヤーボンディングツール先端部のボンディング面に接近できることが望ましい。それ故、ワイヤーを作業面から遠ざける必要がある。このプロセスへの例示的なアプローチは、図３Ａ〜図３Ｄに関連して説明されている。しかしながら、先端部の作業面とワイヤーの端部との間に追加の間隙が必要な場合がある。この追加の間隙の詳細はクリーニング操作の具体的な種類によって異なる。例えば、ワイヤーの端部を作業面の一方または他方へ曲げることが望ましい場合がある。他の例では、ワイヤーの端部を作業面から離れるように下向きに曲げることが望ましい場合がある。いずれにせよ、ワイヤーボンディングツール先端部の作業面とワイヤーの端部との間にある追加のレベルの間隙を設けることが望ましいことがある。本発明の例示的な態様によれば、ボンドオフステーション１１４を用いてそのような追加の間隙を提供することができる。
【００２３】
ボンドオフステーション１１４に関して、ワイヤーの端部はボンドオフステーション１１４で提供された基板に「接合」（例えば、超音波接合）される。次いで、前記接合後、ワイヤーは当該ワイヤーの接合された端部分から引き離される（または他の方法で分離される）。この引き離し操作に関連するボンドヘッドアセンブリ１０２の動きは、ワイヤーガイドアセンブリ１０８により運搬されるワイヤーの端部に屈曲（または他の変化）をもたらす。図２Ａに具体的に示すように、ボンドオフステーション１１４のボンドオフ基板１１４ａはワイヤーボンディング装置支持構造１０１によって運搬される。ボンドオフ基板１１４ａは、いくつかの「ボンドオフ」操作後に当該ボンドオフ基板１１４ａが交換されるという点で消耗基板と見なすことができる。
【００２４】
再び図２Ａを参照すると、基板１１４ａのボンドオフのためワイヤー１０３の端部が超音波接合されている。図２Ｂはこの超音波接合の簡略化された上面図である（明確性のために特定の要素が除去されている）。図２Ａ〜図２Ｂに示す接合後、ワイヤー１０３はボンドヘッドアセンブリ１０２の動きに基づいて最後に接合された端部１０３ａから引き離される（または他の方法で分離される）。この結果、図２Ｃでは、他の分離した接合端部分１０３ａ（図２における３つの接合端部１０３ａとは対照的に４つの接合端部分１０３ａがある）と、ワイヤーガイドアセンブリ１０８によって運搬される屈曲端部１０３ｂとがある。図２Ｃに示すように、屈曲端部１０３ｂはワイヤー１０３の供給中心からオフセットしているので（および、ワイヤーボンディングツール１０４の溝１０４ｂからオフセットしているので、溝１０４ｂの例については図５Ｃを参照）、ワイヤーボンディングツール１０４の作業面に向かって追加の間隙がもたらされる。上述したように、ボンドオフステーション１１４で達成されるボンドオフプロセスにより、クリーニング操作の詳細において所望の任意の方向にワイヤーが曲げられる（またはその他の場合ではワイヤーガイドアセンブリ１０８からのワイヤー１０３の供給中心からオフセットされる）。
【００２５】
図２Ａ〜図２Ｃにおいてボンドオフステーション１１４が利用されるかどうかに関係なく、ワイヤー１０３の端部とワイヤーボンディングツール１０４の作業面１０４ａ（例えば、図３Ｂおよび図３Ｄを参照）との間に分離を提供することが望ましいことがある。図３Ａ〜図３Ｄは例示的な分離ステーション１１６を示す。ワイヤー１０３の端部と作業面１０４ａとの間の分離を提供するために、ワイヤーボンディング装置１００は可動（例えば、旋回式）のワイヤーガイドアセンブリ１０８を備え得る。より具体的には、ワイヤーガイドアセンブリ１０８は、ワイヤーボンディングツール１０４から離れるように旋回されて、所望の分離を提供し得る。ワイヤーガイドアセンブリ１０８の前記動作は、自動であっても（すなわち機械により自動化されていても）よいし、または手動であってもよい。ワイヤーボンディングツール１０４から離れるワイヤーガイドアセンブリ１０８の動きが自動化されている場合、当該動きは、機械式インターロック、運動システム（例えば、モーター、シリンダー等）等によって提供され得る。図３Ａ〜図３Ｄに示す例では、自動化された機械式インターロックが示されている。ロック機構１１０は、ワイヤーボンディングツール１０４に対してワイヤーガイドアセンブリ１０８を所定の位置でロックする。ワイヤーガイドアセンブリ１０８の旋回動作を可能にするためには、ロック機構１１０は「ロック解除」位置に作動されなければならない。ブロック部分１１６ａおよび１１６ｂが分離ステーション１１６に提供される。ボンドヘッドアセンブリ１０２の運動を通じて、ロック機構１１０はブロック部分１１６ａおよび１１６ｂの一方または両方との係合により作動される。したがって、（ボンドヘッドアセンブリ１０２の動きを通じた）ロック機構１１０とブロック部分１１６ａおよび／または１１６ｂとの機械的係合により、ロック機構１１０はロック解除され、ワイヤーガイドアセンブリ１０８はワイヤーボンディングツール１０４から遠ざかるように動く（例えば、旋回する）ことができる（例えば、図３Ｃ〜図３Ｄを参照）。（ボンドヘッドアセンブリ１０２の動きを通じた）ロック機構１１０とブロック部分１１６ａおよび／または１１６ｂとの機械的再係合により、ロック機構１１０は再びロックされ、ワイヤーガイドアセンブリ１０８をワイヤーボンディングツール１０４に対しその動作位置でロックする（例えば、図３Ａ〜図３Ｂを参照）。当然、図３Ａ〜図３Ｄは、分離ステーション１１６の１つの型を示すものに過ぎず、本発明の範囲内で代替構成が企図される。
【００２６】
ボンドオフステーション１１４および／または分離ステーション１１６での上記操作後、ワイヤーボンディングツール１０４の先端部１０４'（本明細書では「先端部」または「ツール先端部」ともいう）はクリーニングステーション１１８でのクリーニングの準備ができる。（例えば、図１を参照）。本発明によれば、様々な異なる種類のクリーニングステーション１１８を用いることができる。図４Ａ〜図４Ｂはクリーニングステーション１１８ａを示す。図５Ａ〜図５Ｃはクリーニングステーション１１８ｂを示す。図６はクリーニングステーション１１８ｃを示す。図７はクリーニングステーション１１８ｄを示す。図８Ａ〜図８Ｄはクリーニングステーション１１８ｅを示す。クリーニングステーション１１８ａ、１１８ｂ、１１８ｃ、１１８ｄ、および１１８ｅのいずれか（および本発明の範囲内の任意の他のクリーニングステーション）を図１のクリーニングステーション１１８として用いることができる。
【００２７】
具体的に図４Ａを参照すると、クリーニングステーション１１８ａは少なくとも１つのブラシ１０８ａ１を含む。ブラシ１０８ａ１は、（以下で説明するように）固定ブラシであってもよく、または（不図示の運動システムで動かされる）可動ブラシであってもよい。ブラシ１０８ａ１は拘持部分１０８ａ１ａにより共に保持される毛１０８ａ１ｂを含む。ブラシ１０８ａ１はワイヤーボンディング装置支持構造１０１によって支持されている。クリーニングステーション１１８ａはまた、破片収集システム１０５を含む。例えば、破片収集システム１０５は、クリーニングステーション１１８ａでのワイヤーボンディングツール１０４のクリーニングから生じる破片（例えば、ワイヤーボンディングツール１０４から放出された破片、破損した毛１０８ａ１ｂ等から生じる破片）を収集する減圧式のシステムであってよい。代替的な種類の破片収集システム（例えば、鉄の破片を引き付けるための磁気システム、クリーニング操作を少なくとも部分的に取り囲む破片を収集するための容器等）が本発明の範囲内で企図される。
【００２８】
ボンドヘッドアセンブリ１０２は、ワイヤーボンディングツール１０４の先端部１０４'の作業面１０４ａがブラシ１０８ａ１の毛１０８ａ１ｂと接触する位置にワイヤーボンディングツール１０４を移動させる。ワイヤーボンディングツール１０４の先端部１０４'がブラシ１０８ａ１の毛１０８ａ１ｂと接触している間、ボンドヘッドアセンブリ１０２は、所定の運動プロファイルに従ってブラシ１０８ａ１に対してワイヤーボンディングツール１０４の先端部１０４'を動かす。例えば、図４Ｂは（簡略化された上面図の観点から）ジグザグ運動経路１０４''を含む所定の運動プロファイルを示す。当然、代替の所定の運動プロファイルが本発明の範囲内で企図される。
【００２９】
クリーニングステーション１１８ａでのワイヤーボンディングツール１０４の先端部１０４'のクリーニング操作に関して、力制御（例えば、閉ループ制御）を用いることが望ましい場合がある。具体的には、力センサ（例えば、不図示のロードセル等）がボンドヘッドアセンブリ１０２の一部として、またはブラシ１０８ａ１に対して（例えば、下に）提供されてもよい。そのような力センサーはクリーニング操作中の力を測定するのに用いることができる。力センサからの力データはワイヤーボンディング装置１００の制御部または他のコンピュータに提供することができる。したがって、閉ループ力制御モードにおいて力データを用いることでクリーニング操作に対し調整を行うことができる。
【００３０】
具体的に図５Ａを参照すると、クリーニングステーション１１８ｂは少なくとも１つのブラシ１１８ｂ１を含む。ブラシ１１８ｂ１は、回転ブラシ（例えば、ワイヤーボンディングツール１０４のクリーニング操作に関連して作動するように構成されたモーター駆動ブラシ）であり、動作制御部１１８ｂ２によって駆動される。図５Ｂは、図５Ａに示す位置に対して９０度回転されたワイヤーボンディングツール１０４を示す（この変更は任意であり、本発明の範囲内で必須ではない）。図５Ｂは、ワイヤーボンディングツール１０４の先端部１０４'の溝１０４ｂ内に堆積した破片１０４ｃを示す。（図示の毛を含む）ブラシ１１８ｂ１は回転させて破片１０４ｃを解放するのに用いられる（図５Ｃに示す溝１０４ｂ内に破片１０４ｃが実質的にないクリーニングツール１０４を参照）。破片収集システム１０５はクリーニングステーション１１８ｂに提供される。破片収集システム１０５は、クリーニングステーション１１８ｂでのワイヤーボンディングツール１０４のクリーニングから生じる破片（例えば、ワイヤーボンディングツール１０４から放出された破片、ブラシ１１８ｂ１の毛の破損から生じる破片等）を収集する減圧式のシステムまたはその他の種類の収集システムとすることができる。
【００３１】
クリーニングステーション１１８ｂでのワイヤーボンディングツール１０４の先端部１０４'のクリーニング操作に関連して、力制御（例えば、閉ループ制御）をすることが望ましい場合がある。具体的には、力センサ（例えば、不図示のロードセル等）が、ボンドヘッドアセンブリ１０２の一部として、またはブラシ１０８ｂ１に対して（例えば、下に）提供され得る。このような力センサーはクリーニング操作中の力を測定するのに用いることができる。力センサからの力データはワイヤーボンディング装置１００の制御部または他のコンピュータに提供することができる。したがって、閉ループ力制御モードにおいて力データを用いることでクリーニング操作に対し調整を行うことができる。
【００３２】
ここで図６を参照すると、エネルギーを用いるクリーニングシステム１１８ｃが示されている。クリーニングステーション１１８ｃは、エネルギー源送達システム１１８ｃ１（例えば、レーザー光源、その他の光源、プラズマ源、熱源等）と、エネルギー源送達システム１１８ｃ１の動作を制御するエネルギー源制御部１１８ｃ２とを含む。エネルギー源送達システム１１８ｃ１の動作を通じて、エネルギー１１８ｃ３（例えば、レーザー光エネルギー、その他の光エネルギー、プラズマエネルギー、熱エネルギー等）は、ワイヤーボンディングツール１０４の先端部１０４'の作業面１０４ａに方向付けられる。破片収集システム１０５がクリーニングステーション１１８ｃに含まれる。破片収集システム１０５は、クリーニングステーション１１８ｃでのワイヤーボンディングツール１０４のクリーニングから生じる破片（例えば、ワイヤーボンディングツール１０４から放出された破片等）を収集する減圧式のシステムまたはその他の種類の収集システムとすることができる。
【００３３】
ここで図７を参照すると、噴射式クリーニングシステム１１８ｄが示されている。クリーニングステーション１１８ｄは、噴射式クリーニング機構／クリーニング源１１８ｄ１（例えば、ワイヤーボンディングツール１０４をクリーニングするためのガス圧式のクリーニング機構、ワイヤーボンディングツール１０４をクリーニングするためのＣＯ２ベースのクリーニング機構、ワイヤーボンディングツール１０４をクリーニングするためのサンドブラストベースのクリーニング機構、ワイヤーボンディングツール１０４をクリーニングするためのビードブラストベースのクリーニング機構等）と、噴射式クリーニング機構／噴射式クリーニング源１１８ｄ１の動作を制御する制御部１１８ｄ２とを含む。また、クリーニングステーション１１８ｄは容器１１８ｄ３を含む。ボンドヘッドアセンブリ１０２の動きを通じて、ワイヤーボンディングツール１０４の一部（および、恐らくワイヤーガイドアセンブリ１０８および／またはブレード１０６の一部等のその他のボンドヘッド要素）が容器１１８ｄ３内にその開口部を通じて運ばれる。噴射式クリーニング機構１１８ｄ１の動作を通じて、噴射（噴射式クリーニング機構１１８ｄ１から外向きに出る矢印線を参照）（例えば、空気噴射、ＣＯ２噴射等ののガス噴射、サンドブラスト材料の噴射、ビードブラスト材料の噴射等）が、ワイヤーボンディングツール１０４の先端部１０４'（および／または容器１１８ｄ３内のその他のボンドヘッド要素）からの破片をクリーニングするために、容器１１８ｄ３内にあるワイヤーボンディングツール１０４の先端部１０４'に向けられる。
【００３４】
ここで図８Ａ〜図８Ｄを参照すると、クリーニングシステム１１８ｅが示されている。クリーニングステーション１１８ｅは基板１１８ｅ１上に複数のプリフォーム構造１１８ｅ２を含む。プリフォーム構造１１８ｅ２はワイヤーボンディングツール１０４の先端部１０４'の少なくとも一部（例えば、先端１０４'の溝１０４ｂ）に対応する形状を有することができる。プリフォーム構造１１８ｅ２はワイヤーボンディングツール１０４から破片１０４ｃを除去するように構成されている。クリーニングステーション１１８ｅのクリーニング操作は、ワイヤーボンディングツール１０４を搭載した超音波発生器を用いることができ、この場合、超音波発生器はボンドヘッドアセンブリ１０２の一部である（そのような超音波発生器は、ワイヤーをボンディング位置に超音波接合するためにワイヤーボンディング装置のボンドヘッドアセンブリに含まれていることがよく知られている）。図８Ｂは、図８Ａに示す位置に対して９０度回転されたワイヤーボンディングツール１０４を示す（この変更は任意であり、本発明の範囲内において必須ではない）。図８Ｂは、ワイヤーボンディングツール１０４の先端部１０４'の溝１０４ｂに破片１０４ｃが堆積していることを示す。図８Ｃは、溝１０４ｂが（例えば、ボンドヘッドアセンブリ１０２の前記動きにより）プリフォーム構造１１８ｅ２の１つと係合することを示す。（例えば、ボンドヘッドアセンブリ１０２に備えられた超音波発生器を用いて）超音波エネルギーを加えることができ、次いで、図８Ｄに示すようにワイヤーボンディングツール１０４が（例えば、ボンドヘッドアセンブリ１０２の動きにより）プリフォーム構造１１８ｅ２上に上昇される。破片１０４ｃは最も右側のプリフォーム構造１１８ｅ２に移されており、溝１０４ｂには破片１０４ｃが実質的にないことが示されている。特定の例示的な場合において、プリフォーム構造１１８ｅ２は、例えば、ワイヤーボンディングツール１０４の溝１０４ｂからのアルミニウム破片の除去に特に適している（例えば、銅線等で形成された）銅構造とすることができる。
【００３５】
クリーニングステーション１１８ｅの基板１１８ｅ１は、いくつかのクリーニング操作（例えば、基板１１８ｅ１に含まれるプリフォーム構造１１８ｅ２ごとに１回のクリーニング操作）の後、基板１１８ｅ１を交換できるという点で、消耗基板と見なすことができる。
【００３６】
当然、超音波エネルギーを用いて破片を移すことに関しては、（例えば、ワイヤーボンディングツールの溝に対応する形状とは異なる）その他の形状を用いてもよい。例えば、平坦なプレートまたは基板（例えば、セラミックプレート、適切な面粗さを有するプレートなど）にワイヤーボンディングツール１０４の作業面１０４ａを接触させてもよく、次いで、ワイヤーボンディングツール１０４の先端部１０４'から特定の破片を除去するために超音波エネルギー（および／またはボンドヘッドアセンブリ１０２によって提供される運動プロファイル）を適用してもよい。
【００３７】
（例えば、クリーニングステーション１１８ａ、１１８ｂ、１１８ｃ、１１８ｄ、１１８ｅのいずれか、または本発明の範囲内のその他のクリーニングステーションを用いた）クリーニング操作後、クリーニングの追加の工程が廃棄ステーション１２０（例えば、図１参照）で行われてもよい。このような廃棄ステーションは、ワイヤーボンディングツール１０４の先端部１０４'から破片を（例えば、空気等の強制ガス若しくは減圧またはその他のシステム等を用いて）除去するのに用いられる。そのような破片としては、（ｉ）前述のクリーニング操作中にワイヤーボンディングツール１０４から放出された破片、（ｉｉ）クリーニングステーションが少なくとも１つのブラシ等を含む用途ではブラシの破損した毛に起因する破片等、がありうる。図９Ａ〜図９Ｄはそのような廃棄ステーション１２０の例を示す。廃棄ステーション１２０は、（蓋１２０ａ１を含む）容器１２０ａと、ガス／減圧源１２０ｂ（例えば、空気配管、ガス配管、減圧配管等）とを含む。図９Ｂは、先端部１０４'、ワイヤーガイド１０８ａ、およびブレード１０６上に破片１０４ｃがあることを示す。図９Ｃに示すように、ボンドヘッドアセンブリ１０２の動きを通じて、ワイヤーボンディングツール１０４の一部（およびおそらくワイヤーガイドアセンブリ１０８および／またはブレード１０６の一部等のその他のボンドヘッド要素）が蓋１２０ａ１の開口部を通して容器１２０ａ内にもたれされた。ガス／減圧源１２０ｂの動作（例えば、ガス／減圧源１２０ｂから容器１２０ａ内に空気またはその他のガスが押し込まれる）により、破片１０４ｃは、先端部１０４'、ワイヤーガイド１０８ａ、およびブレード１０６から除去される（図９Ｄ〜図９Ｅを参照、このような要素には図９Ｂと比べて破片１０４ｃがない）。当然、例えば、図示の強制ガス式システム／減圧式システムとは対照的に、鉄を含む破片を引き付ける磁気式のシステム等、代替の廃棄ステーション１２０が企図される。
【００３８】
（例えば、廃棄ステーション１２０での更なるクリーニングの有無にかかわらず、本発明のクリーニングステーションの１つで実行される）クリーニング操作が完了した後、例えば、更なるワイヤーボンディング操作を実行するためにワイヤー１０３の端部の再位置調整が望ましい場合がある。ワイヤー１０３の端部は、ボンドオフステーション１１４および／または分離ステーション１１６での前記操作のため、位置がずれている可能性がある。さらに、本明細書に記載のクリーニング操作およびその他の操作はワイヤー１０３の端部の位置ずれをもたらす可能性がある。このように、再位置調整ステーション１２２（例えば、図１を参照）を用いてワイヤー１０３の端部を再位置調整することが望ましい場合がある。図１０Ａ〜図１０Ｄは、例示的な再位置調整ステーション１２２を示す。
【００３９】
再位置調整ステーション１２２は、ワイヤーボンディング装置支持構造１０１によって支持されたブロック１２２ａを含む。ブロック１２２ａは、直線溝１２２ａ２内に延びるＶ字形溝１２２ａ１を画定する。図１０Ｂ〜１０Ｃは、ワイヤー１０３の端部を（例えば、ワイヤーボンディングツール１０４の先端部１０４'の溝１０４ｂと合致するように）再位置調整するプロセスを示す上面図である。図１０Ｂに示すように、（不図示の）ボンドヘッドアセンブリ１０２の動きを通じて、（「屈曲した」端部１０３'を含む）ワイヤー１０３は、Ｖ字形溝１２２ａ１に係合し、次いで直線溝１２２ａ２に係合する（図１０Ｃ〜図１０Ｄを参照）。そのとき、図１０Ｄに示すように、ワイヤー１０３の端部１０３'はワイヤーボンディングツール１０４の端部１０４'の溝１０４ｂと合致するように再位置調整される。
【００４０】
クリーニング（および再位置調整等の本明細書において所望の任意のその他のプロセス）の後、検査ステーション１２４（図１を参照）を用いて様々な要素を検査することができる。例えば、検査ステーション１２４を用いてワイヤーボンディングツール１０４（例えば、ワイヤーボンディングツール１０４の先端部１０４'）が現在きれいであることを確認することができる。さらに、検査ステーション１２４を用いて、ワイヤー１０３の端部がワイヤーボンディングツール１０４の先端部１０４'の溝１０４ｂに入るように適切に位置調整されていることを判定することができる。検査ステーション１２４は、１若しくはそれ以上の視覚システム要素（例えば、カメラ、レンズ、ミラー等の光学要素等）を含んで所望の要素を撮像することができる。検査ステーション１２４は、例えば、検査ステーション１２４の視覚システム要素によって生成された画像の画像処理を可能にするために、ワイヤーボンディング装置１０４のコンピュータと通信することができる。画像処理により、例えば、ワイヤーボンディングツール１０４の先端部１０４'がきれいかどうか、第１の場所においてワイヤーボンディングツール１０４の先端部１０４'のクリーニングが必要かどうか、ワイヤー１０３の端部が先端部１０４'の溝１０４ｂに入るように適切に位置調整されているかどうか等を判定することができる。図１では、検査ステーション１２４が再位置調整ステーション１２２の下流に示されているが、検査ステーション１２４はいつでも用いることができることが理解される。例えば、検査ステーション１２４を用いてワイヤー１０３の端部の再位置調整が必要であることを判定することができ、それにより再位置調整ステーション１２２での再位置調整が開始される。その他の例では、検査ステーション１２４を用いて（廃棄ステーション１２０で）更なるクリーニング操作を行うべきかを判定してもよい。
【００４１】
本明細書に記載のクリーニング操作のいずれかにおいて、（例えば、当業者に知られているように、ワイヤーボンディングツールを搭載し、ボンドヘッドアセンブリの一部として含まれる）超音波発生器を用いて、クリーニングステーションのいずれか、またはワイヤーボンディング装置１００のその他のステーション（図１参照）のいずれかでのそのようなクリーニング操作の少なくとも一部の間、ワイヤーボンディングツールの先端部へ超音波運動を提供することができる。
【００４２】
クリーニング、検査、および本明細書に記載のその他の所望のプロセスの後、ワイヤーガイドは望ましくは係合位置に戻される。例えば、これは、図３Ａ〜図３Ｄに関して上述したプロセスを逆にすることによって達成することができる。すなわち、ロック機構１１０は、上述のように作動されて、ワイヤーガイドアセンブリ１０８を係合位置に戻しロックし得る。この動作およびその他の必要な確認（例えば、ワイヤー接合を再開する前のボンドオフ、ワイヤー接合を再開する前のボンドオフの引張り試験等）の後、ワイヤーボンディング装置はワイヤーボンディング操作を再開する準備ができる。
【００４３】
本明細書では特定の実施形態を参照して本発明を例示および説明しているが、本発明は示した詳細に限定されることを意図するものではない。しろ、本発明から逸脱することなく、特許請求の範囲およびその均等物の範囲内で細部に様々な修正を加えることができる。
【図１】
2021511664.tif 000003
【図２Ａ】
2021511664.tif 000004
【図２Ｂ】
2021511664.tif 000005
【図２Ｃ】
2021511664.tif 000006
【図３Ａ】
2021511664.tif 000007
【図３Ｂ】
2021511664.tif 000008
【図３Ｃ】
2021511664.tif 000009
【図３Ｄ】
2021511664.tif 000010
【図４Ａ】
2021511664.tif 000011
【図４Ｂ】
2021511664.tif 000012
【図５Ａ】
2021511664.tif 000013
【図５Ｂ】
2021511664.tif 000014
【図５Ｃ】
2021511664.tif 000015
【図６】
2021511664.tif 000016
【図７】
2021511664.tif 000017
【図８Ａ】
2021511664.tif 000018
【図８Ｂ】
2021511664.tif 000019
【図８Ｃ】
2021511664.tif 000020
【図８Ｄ】
2021511664.tif 000021
【図９Ａ】
2021511664.tif 000022
【図９Ｂ】
2021511664.tif 000023
【図９Ｃ】
2021511664.tif 000024
【図９Ｄ】
2021511664.tif 000025
【図９Ｅ】
2021511664.tif 000026
【図１０Ａ】
2021511664.tif 000027
【図１０Ｂ】
2021511664.tif 000028
【図１０Ｃ】
2021511664.tif 000029
【図１０Ｄ】
2021511664.tif 000030
【国際調査報告】
2021511664.tif 000031
2021511664.tif 000032